(57)【要約】【課題】汎用性が高く、作成に要する費用も抑えることができ、しかも情報量の制限も受けることがなく、パンフレットやチラシなどに印刷された情報に関連ある情報を音声により確認することができる紙媒体及び音声情報提供システムを提供すること。【解決手段】紙媒体１は、第１の情報が文字や絵、写真などにより印刷された第１の領域２と、第１の情報と関連ある音声情報を再生するための２次元のコード３が発泡インキにより印刷された第２の領域４とを具備する。２次元のコード３は、例えばサイトに記憶された当該コード３に対応する音声情報のアドレスを２次元のコードとして表現したものである。２次元のコード３は、例えば０．０５ｍｍ〜０．５ｍｍの厚みを有するように発泡インキにより印刷されている。【選択図】図１
0003152538.tif 000002
【実用新案登録請求の範囲】
【請求項１】
第１の情報が印刷された第１の領域と、
前記第１の情報と関連ある音声情報を再生するための２次元のコードが発泡インキにより印刷された第２の領域と
を具備する紙媒体。
【請求項２】
請求項１に記載の紙媒体であって、
前記２次元のコードは、０．０５ｍｍ〜０．５ｍｍの厚みを有するように発泡インキにより印刷されている紙媒体。
【請求項３】
請求項１又は２に記載の紙媒体であって、
前記２次元のコードは、前記２次元のコードに対応する前記音声情報を記憶する記憶部と、携帯電話のカメラにより撮像された前記２次元のコードの撮像情報を前記携帯電話が有する通信機能を介して受け取り、前記撮像情報の前記２次元のコードに応じた前記音声情報を前記記憶部より抽出して前記携帯電話に返送する手段とを備えるサイトに記憶された当該コードに対応する前記音声情報のアドレスを２次元のコードとして表現したものである紙媒体。
【請求項４】
第１の情報が印刷された第１の領域と、前記第１の情報と関連ある音声情報を再生するための２次元のコードが発泡インキにより印刷された第２の領域とを備える紙媒体と、
前記２次元のコードに対応する前記音声情報を記憶する記憶部と、携帯電話のカメラにより撮像された前記２次元のコードの撮像情報を前記携帯電話が有する通信機能を介して受け取り、前記撮像情報の前記２次元のコードに応じた前記音声情報を前記記憶部より抽出して前記携帯電話に返送する手段とを備えるサイトと
を具備する音声情報提供システム。
【請求項５】
請求項３に記載の音声情報提供システムにあって、
前記携帯電話には、当該携帯電話を用いて前記サイトにアクセスし、前記サイトより前記音声情報を入手して音声を聞くための操作の手順が印刷された点字式シールが貼付され、又は点字式凸部が形成されている音声情報提供システム。
【考案の詳細な説明】
【技術分野】
【０００１】
本考案は、例えば視覚障害者がパンフレットやチラシなどに印刷された情報を確認することができる紙媒体及び音声情報提供システムに関する。
【背景技術】
【０００２】
視覚障害者がパンフレットやチラシなどに印刷された情報を音声により確認するための技術として「ＳＰコード」と呼ばれるものが開発されている。
【０００３】
この「ＳＰコード」は、パンフレットに印刷される２次元のコード（２次元シンボル）であり、例えば音声情報がこのコードによって表現されている（特許文献１参照）。
【先行技術文献】
【特許文献】
【０００４】
【特許文献１】特開２００７−０５２４４７参照
【考案の概要】
【考案が解決しようとする課題】
【０００５】
このような「ＳＰコード」が印刷されたパンフレットは、例えば公的なサービスを提供する施設に置かれている。このような施設には、「ＳＰコード」を読み取って音声として出力する専用の装置が設置されている所もある。利用者は、専用の装置を使ってパンフレットに印刷された「ＳＰコード」の音声を聞くことができるが、専用の装置を有しない、例えば自宅などにおいては「ＳＰコード」の音声を聞くことができない。
【０００６】
このようなパンフレットなどに「ＳＰコード」が印刷されているかどうかを認識できるようにするために紙媒体の端部に切り欠きが設けられ、手などの触覚によりその識別ができるようにしている。しかし、その場合、紙媒体にそのような切り欠きを設ける工程が必要になり、パンフレットなどの作成に要する費用が加算される。
【０００７】
「ＳＰコード」によって表現される音声情報は、情報量が制限されるという問題もある。
【０００８】
以上のような事情に鑑み、本考案の目的は、汎用性が高く、作成に要する費用も抑えることができ、しかも情報量の制限も受けることがなく、パンフレットやチラシなどに印刷された情報に関連ある情報を音声により確認することができる紙媒体及び音声情報提供システムを提供することにある。
【課題を解決するための手段】
【０００９】
上記目的を達成するため、本考案の一形態に係る紙媒体は、第１の情報が印刷された第１の領域と、前記第１の情報と関連ある音声情報を再生するための２次元のコードが発泡インキにより印刷された第２の領域とを具備する。
【００１０】
前記２次元のコードは、０．０５ｍｍ〜０．５ｍｍの厚みを有するように発泡インキにより印刷されていることがより好ましい形態である。
【００１１】
前記２次元のコードは、前記２次元のコードに対応する前記音声情報を記憶する記憶部と、携帯電話のカメラにより撮像された前記２次元のコードの撮像情報を前記携帯電話が有する通信機能を介して受け取り、前記撮像情報の前記２次元のコードに応じた前記音声情報を前記記憶部より抽出して前記携帯電話に返送する手段とを備えるサイトに記憶された当該コードに対応する前記音声情報のアドレスを２次元のコードとして表現したものであることがより好ましい形態である。
【００１２】
本考案の別の形態に係る音声情報提供システムは、第１の情報が印刷された第１の領域と、前記第１の情報と関連ある音声情報を再生するための２次元のコードが発泡インキにより印刷された第２の領域とを備える紙媒体と、前記２次元のコードに対応する前記音声情報を記憶する記憶部と、携帯電話のカメラにより撮像された前記２次元のコードの撮像情報を前記携帯電話が有する通信機能を介して受け取り、前記撮像情報の前記２次元のコードに応じた前記音声情報を前記記憶部より抽出して前記携帯電話に返送する手段とを備えるサイトとを具備する。
【００１３】
前記携帯電話には、当該携帯電話を用いて前記サイトにアクセスし、前記サイトより前記音声情報を入手して音声を聞くための操作の手順が印刷された点字式シールが貼付され、又は点字式凸部が形成されていることがより好ましい形態である。
【考案の効果】
【００１４】
本考案によれば、汎用性が高く、作成に要する費用も抑えることができ、しかも情報量の制限も受けることがなく、パンフレットやチラシなどに印刷された情報に関連ある情報を音声により確認することができる。
【図面の簡単な説明】
【００１５】
【図１】本考案の一実施形態に係る紙媒体の構成例である
【図２】本考案の一実施形態に係る音声情報提供システムの構成例である。
【図３】本考案の一実施形態に係る音声情報提供システムの全体手順を示すフローチャートである。
【図４】本考案の一実施形態に係る携帯電話の構成例である。
【考案を実施するための形態】
【００１６】
以下、図面を参照しながら、本考案の実施形態を説明する。
【００１７】
図１は、本考案の一実施形態に係る紙媒体を示す図である。（ａ）は正面図、（ｂ）はその側面図である。
同図に示すように、紙媒体１は、第１の情報が文字や絵、写真などにより印刷された第１の領域２と、第１の情報と関連ある音声情報を再生するための２次元のコード３が発泡インキにより印刷された厚みｔを有する第２の領域４とを具備する。
【００１８】
紙媒体１は、パンフレットやチラシなどである。第１の情報としては、例えば紙媒体がパンフレットであれば、パンフレットで提供したい情報を文字や絵、写真などにより表現したものである。第１の情報と関連ある音声情報とは、第１の情報とまったく同一の情報を音声情報としたものの他、その要約的な情報を音声情報としたもの、或いはさらに詳細な情報を音声情報としたものが含まれる。
【００１９】
２次元のコード３は、例えば後述するサイトに記憶された当該コード３に対応する音声情報のアドレスを２次元のコードとして表現したものである。より具体的には、２次元のコード３は、http://www.onnseisaito.org/common/onnsei46567を２次元のコードとして表現したものである。２次元のコードとしては、ＱＲコードをはじめとして各種公知のコードを用いることができる。
【００２０】
２次元のコード３は、例えば矩形であり、その大きさは、例えば左右寸法で最小２０ｍｍ、最大４０ｍｍ、天地寸法で最小２０ｍｍ、最大４０ｍｍ程度である。
【００２１】
２次元のコード３は、例えば０．０５ｍｍ〜０．５ｍｍの厚みを有するように発泡インキにより印刷されている。２次元のコード３の厚みが０．０５ｍｍ以下となると、例えば手による触覚によって２次元のコード３が紙媒体１上に存在しているかどうかの認識が難しくなる。２次元のコード３の厚みが０．５ｍｍ以上となると、発泡インキによる印刷が困難なる。
【００２２】
なお、発泡インキによる印刷方法としては、例えば、インキを印刷し、印刷インキが乾燥しないうちに上から膨張性のある粉末をまぶして加熱する。すると、全体がアメのように溶けて厚みが形成され、これにより上記厚みを有する２次元のコード３が印刷される。
【００２３】
図２は本考案の一実施形態に係る音声情報提供システムを示す図である。
同図に示すように、この音声情報提供システム５では、携帯電話６により通信を行うための通信網７に、音声情報提供システム用のサイト８が接続されている。
【００２４】
サイト８は、記憶部９と、処理部１０とを有する。  
記憶部９は、上記の２次元のコード３に対応する音声情報を多数記憶する。処理部１０は、携帯電話６のカメラにより撮像された２次元のコード３の撮像情報を、携帯電話６が有する通信機能を介して受け取り、撮像情報の２次元のコード３に応じた音声情報を記憶部９より抽出して携帯電話６に返送する。
【００２５】
次に、このように構成された音声情報提供システム５の全体手順を図３に示すフローチャートに基づき説明する。  
【００２６】
携帯電話６を所持するユーザは、携帯電話６に対する所定の操作により携帯電話６を、音声情報提供システム５を使って音声情報を得るためのモードとする（ステップ３０１：モード操作）。
【００２７】
次に、携帯電話６のカメラにより紙媒体１の２次元のコード３を撮像する（ステップ３０２：２次元コードの撮像）。紙媒体１に印刷された２次元のコード３は、厚みを有することから、このユーザが視覚障害者である場合に当該紙媒体１に２次元のコード３があることを認識できるばかりでなく、２次元のコード３が印刷された位置も把握でき、上記の撮像をスムーズに且つ確実に行うことができる。紙媒体の端部に切り欠きを入れた従来に比べてコードの位置の把握が正確に行うことができる上、従来に比べて作成に要するコストを低減することができる。
【００２８】
次に、ユーザは、撮像された２次元のコード３の撮像情報を、通信網７を介して携帯電話６よりサイト８に送信する（ステップ３０３：サイトへの撮像情報送信）。
【００２９】
通信網７を介して撮像情報を受け取ったサイト８では、処理部１０が受け取った撮像情報の２次元のコード３に応じた音声情報を記憶部９より抽出する（ステップ３０４：音声情報の抽出）。
【００３０】
次に、処理部１０は、記憶部９より抽出した音声情報を、通信網７を介してサイト８より携帯電話６に送信する（ステップ３０５：携帯電話への音声情報送信）。
【００３１】
携帯電話６を所持するユーザは、通信網７を介してサイト８より音声情報を携帯電話６により受け取り、携帯電話６のスピーカよりこの音声情報を音声として再生する（ステップ３０６：音声情報の受信・再生）。従来のように専用の装置ではなく、携帯電話を用いてパンフレットに関連あるの音声情報を聞くことができるため、汎用性があり、例えば自宅などにおいてはこのような音声を聞くことができる。従来のようにコードそのもので音声情報を表現するのではなく、音声情報はサイト上に記憶しているので、情報量が制限され
るということもなくなる。
【００３２】
図４は本考案の一実施形態に係る携帯電話６の構成を示す図である。
図４に示すように、この携帯電話６には、上記の説明のように、当該携帯電話６を用いてサイト８にアクセスし、サイト８より音声情報を入手して音声を聞くための操作の手順が印刷された点字式シール１１が貼付されている。従来の携帯電話にこのようなシールを貼るだけで操作手順を示すことができる。なお、このような点字シール１１ではなくて、携帯電話６に点字式凸部を形成してもよい。
【００３３】
以上のように、本考案により、汎用性が高く、作成に要する費用も抑えることができ、しかも情報量の制限も受けることがなく、パンフレットやチラシなどに印刷された情報に関連ある情報を音声により確認することができる紙媒体及び音声情報提供システムを提供することができる。
【符号の説明】
【００３４】
１  紙媒体
２  第１の領域
３  ２次元のコード
４  第２の領域
５  音声情報提供システム
６  携帯電話
７  通信網
８  サイト
９  記憶部
１０  処理部
１１  点字式シール
【図１】
0003152538.tif 000003
【図２】
0003152538.tif 000004
【図３】
0003152538.tif 000005
【図４】
0003152538.tif 000006
【手続補正書】
【提出日】平成21年6月1日(2009.6.1)
【手続補正１】
【補正対象書類名】実用新案登録請求の範囲
【補正対象項目名】全文
【補正方法】変更
【補正の内容】
【実用新案登録請求の範囲】
【請求項１】
第１の情報が印刷された第１の領域と、
前記第１の情報と関連ある音声情報を再生するための２次元のコードが発泡インキにより印刷された第２の領域と
を具備する紙媒体。
【請求項２】
請求項１に記載の紙媒体であって、
前記２次元のコードは、０．０５ｍｍ〜０．５ｍｍの厚みを有するように発泡インキにより印刷されている紙媒体。
【請求項３】
請求項１又は２に記載の紙媒体であって、
前記２次元のコードは、前記２次元のコードに対応する前記音声情報を記憶する記憶部と、携帯電話のカメラにより撮像された前記２次元のコードの撮像情報を前記携帯電話が有する通信機能を介して受け取り、前記撮像情報の前記２次元のコードに応じた前記音声情報を前記記憶部より抽出して前記携帯電話に返送する手段とを備えるサイトに記憶された当該コードに対応する前記音声情報のアドレスを２次元のコードとして表現したものである紙媒体。
【手続補正２】
【補正対象書類名】明細書
【補正対象項目名】００１９
【補正方法】変更
【補正の内容】
【００１９】
２次元のコード３は、例えば後述するサイトに記憶された当該コード３に対応する音声情報のアドレスを２次元のコードとして表現したものである。より具体的には、２次元のコード３は、http://www.onnseisaito.org/common/onnsei46567を２次元のコードとして表現したものである。２次元のコードとしては、ＱＲコード（登録商標）をはじめとして各種公知のコードを用いることができる。